(57)【要約】【課題】デザイン性を向上させることができる表示装置を提供する。【解決手段】表示画面１１と、表示画面１１の外縁を覆うフロントベゼル１５と、を有する表示ユニット１０と、表示ユニット１０の背面側に配置され、表示画面１１の面方向において表示ユニット１０から突出した突出部２２と、突出部２２上に設けられた光源２５と、を有する回路基板２０と、光源２５の光をフロントベゼル１５上まで導く導光体７０と、表示ユニット１０を覆い、フロントベゼル１５に対応する位置に透光部６３を有する保護パネル６０と、を備える。【選択図】図３
2019023702.tif 000002
【特許請求の範囲】
【請求項１】
表示画面と、前記表示画面の外縁を覆うフロントベゼルと、を有する表示ユニットと、
前記表示ユニットの背面側に配置され、前記表示画面の面方向において前記表示ユニットから突出した突出部と、前記突出部上に設けられた光源と、を有する回路基板と、
前記光源の光を前記フロントベゼル上まで導く導光体と、
前記表示ユニットを覆い、前記フロントベゼルに対応する位置に透光部を有する保護パネルと、を備える表示装置。
【請求項２】
前記導光体は、前記回路基板の面に対して立ち上がる立ち上がり部と、前記立ち上がり部より厚さが小さく、前記立ち上がり部から前記フロントベゼル上に折れ曲がる折れ曲がり部と、を有する請求項１記載の表示装置。
【請求項３】
前記折れ曲がり部は、前記フロントベゼルと前記保護パネルとに挟まれ固定されている請求項２記載の表示装置。
【請求項４】
前記保護パネルと前記表示画面とを貼り合わせる透明樹脂層をさらに備え、
前記折れ曲がり部の先端は、前記透明樹脂層に非接触である請求項２記載の表示装置。
【請求項５】
前記折れ曲がり部の前記フロントベゼルとの対向面と前記折れ曲がり部の先端とを覆い、前記導光体から出射される光を反射し透過させない反射フィルムをさらに備えた請求項２記載の表示装置。
【請求項６】
前記折れ曲がり部の前記保護パネルとの対向面を覆い、前記導光体から出射される光を拡散する拡散フィルムと、
前記折れ曲がり部の先端から出射する前記表示画面方向の光を遮光する遮光部材と、をさらに備えた請求項２記載の表示装置。
【発明の詳細な説明】
【技術分野】
【０００１】
本発明は、車両などに搭載される表示装置に関する。
【背景技術】
【０００２】
自動車や自動二輪車などの車両には、計器として表示装置が搭載されている。例えば、特許文献１の表示装置は、前面側のほぼ全域に亘って表示画面を有する表示ユニットと、表示ユニットの背面側に配置された硬質の回路基板と、これら表示ユニットおよび回路基板を収容する外ケースと、を有している。
【０００３】
また、表示装置は、表示ユニットの前面側に保護パネルと、ケース内で表示ユニットを保持するための中ケースと、を有している。
【先行技術文献】
【特許文献】
【０００４】
【特許文献１】特開２０１７−４０７６７号公報
【発明の概要】
【発明が解決しようとする課題】
【０００５】
表示ユニットは、中ケースに保持されて外ケースに収容されており、表示ユニットの外周は中ケースに覆われている。また、表示ユニットの前面側においては、表示画面の外周はフロントベゼルで覆われている。このため、フロントベゼルおよび中ケースがユーザから視認されないようにするため、保護パネルにおける表示ユニットの表示画面の外周は、黒印刷層を設けることにより遮光されている。
【０００６】
ここで、表示画面が黒表示している場合、保護パネルの黒印刷層との黒の度合い（輝度・色度差）が異なるため、表示画面とその外周の黒印刷層との境界が際立ってしまう。これにより、表示装置には、表示装置全体の品位を損ねたり、シームレスの観点からデザイン性を損ねたりしてしまうという課題があった。
【０００７】
本発明はこのような事情を考慮してなされたもので、デザイン性を向上させることができる表示装置を提供することを目的とする。
【課題を解決するための手段】
【０００８】
本発明に係る表示装置は、上述した課題を解決するために、表示画面と、前記表示画面の外縁を覆うフロントベゼルと、を有する表示ユニットと、前記表示ユニットの背面側に配置され、前記表示画面の面方向において前記表示ユニットから突出した突出部と、前記突出部上に設けられた光源と、を有する回路基板と、前記光源の光を前記フロントベゼル上まで導く導光体と、前記表示ユニットを覆い、前記フロントベゼルに対応する位置に透光部を有する保護パネルと、を備える。
【発明の効果】
【０００９】
本発明に係る表示装置においては、デザイン性を向上させることができる。
【図面の簡単な説明】
【００１０】
【図１】本発明に係る表示装置の実施形態であり、全体構成を示す斜視図。
【図２】図１の表示装置の本体の分解斜視図。
【図３】図１のIII−III線に沿う断面図。
【図４】導光体を特に示す断面図。
【図５】比較例としての表示装置の断面図。
【図６】拡散フィルムを有する導光体を特に示す断面図。
【発明を実施するための形態】
【００１１】
本発明に係る表示装置の実施形態を添付図面に基づいて説明する。本発明に係る表示装置は、例えば自動車やオートバイなどの車両や、船舶、農業機械に搭載される。
【００１２】
図１は、本発明に係る表示装置の実施形態であり、全体構成を示す斜視図である。
【００１３】
図２は、図１の表示装置１の本体３の分解斜視図である。
【００１４】
図３は、図１のIII−III線に沿う断面図である。
【００１５】
図４は、導光体７０を特に示す断面図である。
【００１６】
以下の説明において、「前面」は図１における手前側の面、および保護パネル６０の法線方向の視認側の面を意味し、「背面」は図１における奥側の面を意味する。
【００１７】
表示装置１は、基台２と、本体３と、を有している。基台２は、本体３を支持する台であり、車両などに取り付けられる部分である。本体３は、表示ユニット１０と、回路基板２０と、剛性プレート３０と、外ケース４０と、中ケース５０と、保護パネル６０と、導光体７０と、透明樹脂層８０と、を有している。
【００１８】
表示ユニット１０は、表示画面１１と、ボス１２と、を有している。表示画面１１は、ＴＦＴ（Thin Film Transistor）型の液晶表示パネルである。表示画面１１は、所定の計測量（例えば、車両速度）を報知するための画像などを表示する。ボス１２は、表示画面１１が設けられる前面と対向する背面に設けられている。ボス１２は、例えば表示画面１１や、バックライトモジュール（図示せず）などを収容するケースに形成されている。ボス１２は、表示ユニット１０に剛性プレート３０をネジ止めする際のネジ穴を有している。本実施形態においては、表示ユニット１０は、４つのボス１２を有している。また、表示ユニット１０は、表示画面１１の外縁を覆うフロントベゼル１５を有している。フロントベゼル１５は、断面Ｌ字状の金属製枠体であり、表示画面１１の抑えとして設けられている。
【００１９】
回路基板２０は、表示ユニット１０の背面側に配置されている。回路基板２０は、硬質の基材に配線パターンが形成されたものである。回路基板２０は、表示ユニット１０を駆動するマイコンや、表示ユニット１０と電気的に接続するためのフレキシブルプリント基板を有している。回路基板２０は、表示ユニット１０のボス１２が貫通する貫通孔２１を有している。また、回路基板２０は、表示画面１１の面方向（図３におけるＸＹ面方向）において、表示ユニット１０から突出した突出部２２を有している。回路基板２０は、突出部２２上に設けられた光源２５を有している。また、回路基板２０は、光源２５とは別の警告灯用の光源（図示せず）も有している。
【００２０】
剛性プレート３０（以下、「プレート３０」という。）は、回路基板２０の背面側に、表示ユニット１０を覆って配置されている。プレート３０は、表示ユニット１０を保持し固定するために設けられている。プレート３０は、表示ユニット１０の保護および表示装置１の薄型化の観点から、剛性を有する薄板である金属製の薄板が好ましい。プレート３０は、ネジ孔３１と、段部３２と、を有している。ネジ孔３１は、ネジ３３によりボス１２にネジ止めされるための孔である。段部３２は、回路基板２０の突出部２２を面方向（ＸＹ面方向）に沿って当接する。段部３２は、表示ユニット１０を覆うメイン領域３４に対して表示ユニット１０の方向へ近づく段差を有している。このため、保護パネル６０とメイン領域３４との距離（Ｚ方向距離）に比べて、保護パネル６０と段部３２との距離（Ｚ方向距離）は小さい。
【００２１】
外ケース４０は、例えば合成樹脂により形成された上ケース４１と下ケース４２とを有しており、表示装置１の外郭を形成する。外ケース４０は、表示ユニット１０、回路基板２０、およびプレート３０を収容する収容部４３を有している。また、外ケース４０は、表示ユニット領域４５と、表示ユニット外領域４６とを有している。表示ユニット領域４５は、表示画面１１の面方向に平行する面内（ＸＹ面内）において、表示ユニット１０が位置する領域である。表示ユニット外領域４６は、表示画面１１の面方向に平行するＸＹ面内において、表示ユニット領域４５の外側に位置する、表示ユニット領域４５を囲う領域である。外ケース４０は、表示ユニット外領域４６の収容部４３の奥行きが表示ユニット領域４５の奥行きよりも小さくなるように形成されている。すなわち、外ケース４０の背面４８において、中心から外縁に向う方向において奥行きが小さくなるよう傾斜部４９を有している。図３に示すように、外ケース４０の背面４８は、表示ユニット領域４５においては平坦であり、表示ユニット外領域４６においては傾斜部４９により傾斜している。
【００２２】
中ケース５０は、外ケース４０内で表示ユニット１０および回路基板２０を保持する。また、中ケース５０は、回路基板２０の警告灯用の光源を囲う筒状の照明室５１を有している。警告灯は、保護パネル６０上の表示画面１１の外周に設けられる警告表示部（図示せず）に表示され、種々の警告を記号などで示す。照明室５１は、光源が発した光を、この警告表示部に導く。
【００２３】
保護パネル６０は、表示ユニット１０の前面側に設けられる透明基材であり、外ケース４０の開口を覆う。保護パネル６０は、低反射層や遮光層６２、スモーク層６３などを透明基材６１の前面または背面に有している。具体的には、低反射層は、保護パネル６０の前面に全面に亘り設けられている。遮光層６２は、フロントベゼル１５や中ケース５０などがユーザから視認されないように、黒印刷により保護パネル６０の背面に形成されている。また、透光部としてのスモーク層６３は、フロントベゼル１５にほぼ対応する位置に設けられる。スモーク層６３は、導光体７０から導かれた光を透過する一方、内部が視認されないように透過率を低減するため、スモーク印刷により保護パネル６０の背面に形成されている。スモーク層６３（および導光体７０、光源２５）は、フロントベゼル１５の左右上下の少なくとも一辺に対応する位置に設けられればよく、例えば、フロントベゼル１５の上と左右の辺に対応する位置に設けられる。なお、保護パネル６０は、スモーク調基材であってもよい。また、保護パネル６０は、インサート成形などの方法で上ケース４１と一体に形成されていてもよい。
【００２４】
上ケース４１と保護パネル６０とは、両面に接着層を有する接着シート５５により接着されている。また、中ケース５０と保護パネル６０とは、接着シート５５により接着されている。 
【００２５】
導光体７０は、光源２５の発光方向に設けられており、光源２５の光をフロントベゼル１５上まで導き、フロントベゼル１５上の保護パネル６０を照明する。図２に示すように、導光体７０は、フロントベゼル１５の一辺に対応する長さを有している。導光体７０は、立ち上がり部７１と、折れ曲がり部７２と、突起７３と、を有している。立ち上がり部７１は、回路基板２０の面方向に対して略垂直方向に延びて立ち上がっている。折れ曲がり部７２は、立ち上がり部７１より厚さが小さく、立ち上がり部７１からフロントベゼル１５上に向かい折れ曲がっている。折れ曲がり部７２は、保護パネル６０とフロントベゼル１５との間に位置している。突起７３は、立ち上がり部７１の端面に例えば２箇所設けられる。導光体７０は、この突起７３により、中ケース５０および回路基板２０に設けられた孔に挿入され位置決めされるとともに、固定されている。
【００２６】
折れ曲がり部７２は、フロントベゼル１５と保護パネル６０とに挟まれて面接触または線接触し、固定されている。折れ曲がり部７２は、クッション部材を介して保護パネル６０と接触していてもよい。また、折れ曲がり部７２は、反射フィルム９０を介してフロントベゼル１５と接触している。反射フィルム９０は、折れ曲がり部７２のフロントベゼル１５との対向面と先端７５とを覆い、導光体７０から出射される光を反射し透過させない、断面がほぼＬ字状のフィルムである。反射フィルム９０は、折れ曲がり部７２に直接貼り付けられる。また、反射フィルム９０は、接着層９１によりフロントベゼル１５に貼り付けられ、固定されてもよい。反射フィルム９０は、フロントベゼル１５の対向面および先端７５から出射した光を反射するため、照明の輝度を向上させることができ、また、表示画面１１に対する光源２５の光の影響を抑制できる。なお、反射フィルム９０に代えて樹脂成形のケースなどで遮光することも考えられる。しかし、ケースの厚みで表示画面１１と保護パネル６０との距離が大きくなるため、反射フィルム９０のようなフィルムにより遮光することが好ましい。
【００２７】
また、表示ユニット１０と保護パネル６０との距離が小さいことが好ましいため、折れ曲がり部７２の厚さは小さいことが好ましい。導光体７０の寸法は、導光距離や製造上の制約などから決定される。例えば、立ち上がり部７１の端面の厚さを３ｍｍ、折れ曲がり部７２の先端７５の厚さを１ｍｍとすることができる。
【００２８】
透明樹脂層８０は、保護パネル６０と表示画面１１とを貼り合わせる。すなわち、保護パネル６０と表示画面１１とは、オプティカルボンディング（ダイレクトボンディング）で固定されている。透明樹脂層８０は、保護パネル６０の背面と表示画面１１の前面との内部反射を抑制し、この内部反射により表示画面１１が奥まって視認されることを抑制する。また、透明樹脂層８０は、表示ユニット１０と保護パネル６０とをＺ方向に固定するため、振動条件下で接触による異音が発生することを抑制する。透明樹脂層８０は、例えば無色透明なシート状の接着剤である。オプティカルボンディングにおいては、接着（貼合）材料としてアクリル樹脂などのＵＶ硬化樹脂（樹脂材料）などが使用される。
【００２９】
透明樹脂層８０は、折れ曲がり部７２の先端７５および反射フィルム９０と非接触になるように配置される。透明樹脂層８０がＯＣＲ（Optical Clear Adhesive Resin）の場合、ＵＶ照射または熱による硬化の際に体積が収縮する特性を有する。このため、透明樹脂層８０と先端７５とが接触していると、硬化収縮による応力が生じ、先端７５が引っ張られ、導光体７０が破損する恐れがある。透明樹脂層８０がＯＣＡ（Optical Clear Adhesive Tape）の場合、透明樹脂層８０と先端７５とが接触していると、貼り合わせ時の透明樹脂層８０の伸縮に伴い、同様に導光体７０が破損する恐れがある。
【００３０】
このような本実施形態における表示装置１は、光源２５および導光体７０を有することにより、フロントベゼル１５上の保護パネル６０を照明することができる。これにより、表示装置１全体の品位を向上させ、またデザイン性を向上させることができる。以下、表示装置１の効果を比較例を用いて説明する。
【００３１】
図５は、比較例としての表示装置１０１の断面図である。表示ユニット１１０の表示画面１１１の外周（フロントベゼル１１５よりも外側）は、保護パネル１６０に遮光層１６２を設けることにより遮光されている。しかし、表示画面１１１が黒表示している場合、遮光層１６２と表示画面１１１との黒の度合い（輝度・色度差）が異なるため、表示画面１１１とその外周（遮光層１６２）との境界が際立ってしまう。また、遮光層１６２の面積が大きい（幅が広い）場合には、面積が小さい場合に比べて黒度合いの差が際立つ傾向がある。
【００３２】
これに対し、本実施形態における表示装置１は、フロントベゼル１５上の保護パネル６０を照明する。これにより、照明と遮光層６２との輝度および色度差をユーザに印象づけることができ、表示画面１１と遮光層６２との黒度合いの差を緩和させることができる。ゆえに、表示装置１は、シームレス感を有し、デザイン性を向上させることができる。また、導光体７０の折れ曲がり部７２の厚さを考慮し表示ユニット１０と保護パネル６０との距離を小さくすることにより、表示画面１１の奥まり感を最小限に抑えることができ、デザイン性を損なうこともない。
【００３３】
また、表示装置１は、図５に示す比較例においては、デッドスペースとなっていたフロントベゼル１１５上の空間を有効活用することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３５】
例えば、導光体７０の折れ曲がり部７２は、反射フィルム９０に代えて拡散フィルムで覆われていてもよい。
【００３６】
図６は、拡散フィルム９３を有する導光体７０を特に示す断面図である。
【００３７】
折れ曲がり部７２は、拡散フィルム９３を介して保護パネル６０と接触している。拡散フィルム９３は、折れ曲がり部７２の保護パネル６０との対向面と先端７５とを覆い、導光体７０から出射される光を拡散するＬ字状のフィルムである。拡散フィルム９３は、例えば接着層９１により折れ曲がり部７２に貼り付けられる。なお、拡散フィルム９３は、接着層９１により保護パネル６０に貼り付けられ、固定されてもよい。拡散フィルム９３は、折れ曲がり部７２の先端７５に対応する位置に、遮光層９５を有している。遮光層９５は、導光体７０から出射する表示画面１１方向の光を遮光する遮光部材である。拡散フィルム９３は、保護パネル６０の対向面から出射した光を拡散するため、照明の輝度を向上させることができる。また、遮光層９５は、表示画面１１に対する光源２５の光の影響を抑制できる。
【符号の説明】
【００３８】
１、１０１  表示装置
２  基台
３  本体
１０、１１０  表示ユニット
１１  表示画面
１２  ボス
１５、１１５  フロントベゼル
２０、１２０  回路基板
２１  貫通孔
２２  突出部
２５  光源
３０  剛性プレート（プレート）
３１  ネジ孔
３２  段部
３３  ネジ
３４  メイン領域
４０、１４０  外ケース
４１  上ケース
４２  下ケース
４３  収容部
４５  表示ユニット領域
４６  表示ユニット外領域
４８  背面
４９  傾斜部
５０  中ケース
５１  照明室
５５  接着シート
６０、１６０  保護パネル
７０  導光体
８０  透明樹脂層
６１  透明基材
６２、１６２  遮光層
６３  スモーク層
７１  立ち上がり部
７２  折れ曲がり部
７３  突起
７５  先端
９０  反射フィルム
９１  接着層
９３  拡散フィルム
９５  遮光層
【図１】
2019023702.tif 000003
【図２】
2019023702.tif 000004
【図３】
2019023702.tif 000005
【図４】
2019023702.tif 000006
【図５】
2019023702.tif 000007
【図６】
2019023702.tif 000008